(57)【要約】【課題】ワンアクションでケースのロック開閉が出来る機能を有すると共に、ケースの展示等の際に吊り下げる機能を併せ持つロック技術を提供する。【解決手段】上ケース２０と下ケース３０とを固定するロック機構４０は、下ケース３０に枢動可能に取り付けられ、上ケース２０に設けられたロック係止部２４と係止するロック部７０と、ロック部７０の係止及び係止解除を行うフック部５０とを備える。フック部５０は、ロック部７０を係止させるときに、ロック部７０のロック固定押圧部に作用するロック用片を備える。さらに、係止を解除するロック解除片５３を備える。【選択図】図６
2011032748.tif 000002
【特許請求の範囲】
【請求項１】
第１のケースと第２のケースとを固定するロック機構であって、
前記ロック機構は、前記第１のケースに枢動可能に取り付けられ前記第２のケースに設けられた係止部と係止するロック手段と、前記ロック手段が前記係止部と係止を行うとともに係止解除を行うロック操作手段とを備え、
前記ロック操作手段は、
前記ロック手段を係止させるときに、前記ロック手段に作用するロック作用手段と、
前記ロック手段の係止を解除するロック解除作用手段と、
を備え、
前記ロック手段は、
前記第２のケースの前記係止部と係止するロック係止手段と
前記係止部と前記ロック係止手段を係止する際に、前記ロック操作手段の作用を受けるロック被作用手段と、
前記係止を解除する際に、前記ロック操作手段の作用を受けるロック解除被作用手段と
を備える
ことを特徴とするロック機構。
【請求項２】
前記ロック手段は、
前記ロック被作用手段と連続して形成されるロックガイド手段を備え、
当該ロックガイド手段は、前記ロック操作手段が係止動作のための枢動する動作によって前記ロック作用手段の位置を移動させるときに、前記ロック手段を係止方向に移動させる作用を受ける被作用手段として機能する
ことを特徴とすることを特徴とする請求項１に記載のロック機構。
【請求項３】
前記ロック操作手段が、前記第１のケース側に近接するまで枢動したときにロックが解除されることを特徴とする請求項１または２に記載のロック機構。
【請求項４】
前記ロック解除作用手段は、前記ロック解除作用手段の枢動軸上に形成されたカム形状を有していることを特徴とする請求項１から３までのいずれかに記載のロック機構。
【請求項５】
前記ロック操作手段は、所定のフック形状部材に吊り下げ可能に構成されていることを特徴とする請求項１から４までのいずれかに記載のロック機構。
【請求項６】
請求項１から５までのいずれかに記載の前記ロック機構と、
前記第１のケース及び第２のケースと
を備えることを特徴とするケース。
【請求項７】
前記ロック機構は、前記第１のケースの側面に設けられており、
前記ロック手段が前記第２のケース側に倒れた状態まで枢動したときに、前記ロック機構は係止状態となり、
前記ロック手段が前記第１のケース近接位置まで枢動したときに、前記ロック機構は係止が解除される
ことを特徴とする請求項６に記載のケース。
【発明の詳細な説明】
【技術分野】
【０００１】
本発明は、ロック機構及びケースに係り、例えば、少なくとも二つに分離する態様のケースをロックするロック機構およびそのようなロック機構を備えるケースに関する。
【背景技術】
【０００２】
内部に物を収納するケースには様々なタイプがある。例えば、上下に二分割できるプラスチックなどのハードケースに小型の電化製品を収納し、収納した状態で展示や販売が行われたり、さらに、消費者が購入後には、そのハードケースに収納した状態で製品が保管されたりする。
【０００３】
このようなハードケースにあっては、例えば上ケースと下ケースの固定のためにスライド式のロック機能が設けられている。また、容器本体と蓋体とのロックの解除を、容器本体に設けられた取手を回動させて蓋体を持ち上げる態様の機構を備えたケースもある（特許文献１参照）。
【先行技術文献】
【特許文献】
【０００４】
【特許文献１】実開平１−７８６０２号公報
【発明の概要】
【発明が解決しようとする課題】
【０００５】
ところで、クッキングスケールなどを収納する収納ケースは、吊り下げ展示、または収納時や持ち運びの際にケース上下が分離しないようにロック機構が設けられている。従来のロック機構は、スライド式が一般的であり、フック部分を設けると、吊り下げ時のバランスを考え、フック部に対して両サイドに配置する必要があった。また、ロック機構をセンターの一カ所に配置した場合、フック部分を大きくする必要があり、コストが増加する要因となっていた。
【０００６】
本発明は以上のような状況に鑑みなされたものであって、その目的は、ワンアクションでケースのロック開閉が出来る機能を有すると共に、ケースの展示等の際に吊り下げる機能を併せ持つロック技術を提供することにある。
【課題を解決するための手段】
【０００７】
本発明はロック機構に関する。このロック機構は、第１のケースと第２のケースとを固定するロック機構であって、前記ロック機構は、前記第１のケースに枢動可能に取り付けられ前記第２のケースに設けられた係止部と係止するロック手段と、前記ロック手段が前記係止部と係止を行うとともに係止解除を行うロック操作手段とを備え、前記ロック操作手段は、前記ロック手段を係止させるときに、前記ロック手段に作用するロック作用手段、前記ロック手段の係止を解除するロック解除作用手段と、を備え、前記ロック手段は、前記第２のケースの前記係止部と係止するロック係止手段と前記係止部と前記ロック係止手段を係止する際に、前記ロック操作手段の作用を受けるロック被作用手段と、前記係止を解除する際に、前記ロック操作手段の作用を受けるロック解除被作用手段とを備える。
また、前記ロック手段は、前記ロック被作用手段と連続して形成されるロックガイド手段を備え、当該ロックガイド手段は、前記ロック操作手段が係止動作のための枢動する動作によって前記ロック作用手段の位置を移動させるときに、前記ロック手段を係止方向に移動させる作用を受ける被作用手段として機能してもよい。
また、前記ロック操作手段が、前記第１のケース側に近接するまで枢動したときにロックが解除されてもよい。
また、前記ロック解除作用手段は、前記ロック解除作用手段の枢動軸上に形成されたカム形状を有してもよい。
また、前記ロック操作手段は、所定のフック形状部材に吊り下げ可能に構成されてもよい。
本発明は、ケースに関する。このケースは、上記のロック機構と、前記第１のケース及び第２のケースとを備える。
また、前記ロック機構は、前記第１のケースの側面に設けられており、前記ロック手段が前記第２のケース側に倒れた状態まで枢動したときに、前記ロック機構は係止状態となり、前記ロック手段が前記第１のケース近接位置まで枢動したときに、前記ロック機構は係止が解除されてもよい。
【発明の効果】
【０００８】
本発明によれば、ワンアクションでケースのロック開閉が出来る機能を有すると共に、ケースの展示等の際に吊り下げる機能を併せ持つロック技術を提供することができる。
【図面の簡単な説明】
【０００９】
【図１】本発明の実施形態に係る、ケースの斜視図である。
【図２】本発明の実施形態に係る、下ケースに設けられるロック機構の基部を示す図である。
【図３】本発明の実施形態に係る、下ケースに設けられるロック機構のフック部を示す図である。
【図４】本発明の実施形態に係る、下ケースに設けられるロック機構のロック部を示す図である。
【図５】本発明の実施形態に係る、ロックされた状態のケースの全体を示す図である。
【図６】本発明の実施形態に係る、ケースのロック機構を拡大して示す図であり、フック部が上ケース側に倒されており、かつロックされた状態を示した図である。
【図７】本発明の実施形態に係る、ケースのロック機構を拡大して示す図であり、フック部が垂直まで倒されており、かつロックされた状態を示した図である。
【図８】本発明の実施形態に係る、ケースのロック機構を拡大して示す図であり、ロック解除が開始される状態を示した図である。
【図９】本発明の実施形態に係る、ケースのロック機構を拡大して示す図であり、ロックがちょうど解除される状態を示した図である。
【図１０】本発明の実施形態に係る、ケースのロック機構を拡大して示す図であり、ロックが完全に解除された状態を示した図である。
【図１１】本発明の実施形態に係る、ケースのロック機構を拡大して示す図であり、ロック動作を説明する図である。
【発明を実施するための形態】
【００１０】
つぎに、本発明を実施するための形態（以下、単に「実施形態」という）を、図面を参照して具体的に説明する。以下では、クッキングスケールを収容するケースについて例示する。本実施形態の特徴的な構成はロック機構にあり、主にそのロック機構に着目して説明する。このロック機構は、ワンアクションでロックとその解除が可能であるとともに、ロック機構を構成する一部要素を、ケースを展示等するときに利用するフックとして機能させている。
【００１１】
図１は、本実施形態に係るケース１０の概略構成を示す斜視図であり、図１（ａ）は、上ケース２０と下ケース３０とが固定された状態を示し、図１（ｂ）は分離した状態を示している。なお、以下では、便宜的に、図示のＸ正方向を左方向、Ｘ負方向を右方向とし、Ｙ正方向を前方向、Ｙ負方向を後方向、Ｚ正方向を上方向、Ｚ負方向を下方向として説明する。
【００１２】
ケース１０は、例えばプラスチック製等の樹脂製であって、上ケース２０と下ケース３０とを備えて構成されている。上ケース２０と下ケース３０とが固定された状態では、ケース１０は、一般的な略箱形の形状を有しており、内部にクッキングスケールが収容可能になっている。そして、上ケース２０と下ケース３０とを固定する場合に使用されるロック機構４０が備わる。具体的には、ケース１０を閉じる場合には、下ケース３０の上に上ケース２０が載せられ嵌合し、ロック機構４０が上ケース２０と下ケース３０とを固定する。
【００１３】
上ケース２０は、ケース１０に収容されるクッキングスケール等を視認可能に、透明な樹脂製で形成されている。平面視において上ケース２０の外周枠２１は、下ケース３０の外周枠３１と略同一の大きさとなっている。そして、上ケース２０と下ケース３０とが固定される場合には、上ケース２０の外周枠２１の端面が、下ケース３０の外周枠３１の端面に当接する。さらに、上ケース２０の端部の外周面には、その外周面を覆うとともに、下ケース３０が上ケース２０の載った状態において下ケース３０を覆う形態でケース嵌合枠２６が設けられている。これによって、ケース１０の固定の際には、上ケース２０と下ケース３０とが所望の位置に配置される。
【００１４】
上ケース２０の外周枠２１の後面側（Ｙ負方向側）には、二つのケース係止爪２８が左右対象の所定位置に設けられている。これらケース係止爪２８は、下方向且つ内側方向に向けて形成されており、下ケース３０に設けられるケース係止部３８に係止する。下ケース３０に上ケース２０を嵌める際に、まず、ケース係止爪２８とケース係止部３８とを係止させる必要がある。この係止構造には、公知の技術を用いることができる。
【００１５】
また、上ケース２０の前側（Ｙ正方向側）の左右中央部分には、後述の基部４１の基部上面４２に嵌合可能なロック押面２２が前方に突出して形成されている。このロック押面２２は、平面視で略長方形の形状を呈している。また、ロック押面２２の上面は平面に構成され、その前方端部近傍には所定高さで左右に所定長延びるロック係止部２４が形成されている。さらに、ロック押面２２の内面は、後述するロック機構４０の基部上面４２に形成されたリブ状体（基部上面嵌合枠４６）が当接するように形成されている。
【００１６】
下ケース３０の外周枠３１の後側（Ｙ負方向側）には、前述の二つのケース係止爪２８が係止可能にケース係止部３８が設けられている。ここでは、ケース係止部３８は、平面視において、左右に延びるリブ状体の形状を有している。
【００１７】
また、下ケース３０の前側（Ｙ正方向側）の左右中央にロック機構４０が設けられており、上ケース２０と下ケース３０とを固定する。ロック機構４０は、基部４１と、フック部５０と、ロック部７０とを備えて構成されている。
【００１８】
図２は、基部４１を示しており、図２（ａ）は平面図、図２（ｂ）は正面図、図２（ｃ）は側面図を示している。図示のように、基部４１は、平面視において略長方形の形状を有し、基部上面４２は、下ケース３０の外周枠３１の高さより若干低く形成されている。そして、基部上面４２には、ロック押面２２の内周面に嵌合する所定高さのリブ状体（以下、「基部上面嵌合枠４６」という）が、外周枠３１から延出して形成されている。さらに、基部上面４２の左右の端部それぞれからは、枢着部４３として下方向に延びるリブ状体が側面から垂直に一体に形成されている。それぞれ枢着部４３には、フック部５０とロック部７０とが枢動可能に装着される。
【００１９】
枢着部４３のそれぞれには、上から順に、フック部枢着孔４４とロック部枢着孔４５が形成されている。ここでは、フック部枢着孔４４とロック部枢着孔４５はともに枢着部４３を左右に連通している。フック部枢着孔４４には、後述のフック部５０のフック回動軸５９が枢動可能に取り付けられる。また、フック部枢着孔４４には、回動固定凹部４９が形成されており、フック回動軸５９の回動固定凸部５６（図３参照）と係止し、フック部５０を所望の位置に維持する。例えば、後述の図６、図７、図１０の状態にフック部５０が位置するように、回動固定凹部４９は３カ所（図示では１カ所）に設けられている。同様に、ロック部枢着孔４５には、ロック部７０のロック枢着部７１（図４参照）が枢動可能に取り付けられる。
【００２０】
つづいて、フック部５０とロック部７０について詳述する。なお、便宜的に、フック部５０及びロック部７０において、基部４１の枢着部４３に取り付けられる側を基部側といい、基部側と反対側を先端側という。
【００２１】
図３は、フック部５０を示した図であり、図３（ａ）は平面図、図３（ｂ）は側面図である。このフック部５０は、ケース１０の展示の際にフックに掛けられる手段として機能すると共に、ロック部７０による上ケース２０と下ケース３０とのロック／ロック解除のための手段（ロック操作手段）として機能する。
【００２２】
なお詳細は後述するが、例えば図５及び図６に示すように、フック部５０が上向きになっている状態（上ケース２０側に倒れた状態）が、上ケース２０と下ケース３０とが固定された状態である。また、図１０に示すように、フック部５０が下向きになっている状態（下ケース３０側に倒れた状態）が、上ケース２０と下ケース３０との固定が解除された状態である。また、一旦、固定されると、フック部５０が枢動して図７や図８に示す状態になっても、上ケース２０と下ケース３０との固定状態は維持される。したがって、図７に示すように、フック部５０が下ケース３０に対して垂直状態にあっても、上ケース２０と下ケース３０との固定状態が維持されることから、フック部５０を用いてケース１０を吊り下げることができる。
【００２３】
図３に示すように、フック部５０は、基部側の二つのフック回転軸部５１と、それらフック回転軸部５１から先端側（図示で下側方向）に延びるフック枠５２とを備えて形成されている。換言すると、フック枠５２は、先端側において内側に延びる先端側枠５２ａと、先端側枠５２ａの両端からそれぞれ垂直に所定長だけ延出する側方側枠５２ｂとを備える。先端側枠５２ａの内側の中央部分には、凹状のフック用凹部５５が形成されており、展示等の際にフック等に掛けられる。また、それぞれの側方側枠５２ｂの基部側端部には、所定長の筒状のフック回転軸部５１が先端側枠５２ａと平行に内側に向かって形成されている。つまり、各フック回転軸部５１の内側端部が対向するように形成されている。ここで、フック回転軸部５１の内側端部間の距離Ｘ２は、基部４１の幅Ｘ１１（図２（ｂ）参照）に略等しい。
【００２４】
さらに、フック回転軸部５１の内側の端部には、フック回動軸５９が設けられている。フック回動軸５９は、基部４１の枢着部４３のフック部枢着孔４４に外側から枢着する。そしてフック枠５２の内側に形成される枠開口６１の部分の大きさは、基部４１に枢着されたロック部７０が通過可能になっている。ただし、フック枠５２には、ロック動作においてフック枠５２を動かしたときにロック部７０の一部に当接して、ロック部７０をロック係止部２４に係止させるロック用片５４が設けられ、ロック用片５４はロック作用手段として機能する。より具体的には、フック枠５２の先端側の内側両角には、上記のロック用片５４が形成されている。このロック用片５４は、フック枠５２の内側両角、つまり、先端側枠５２ａと側方側枠５２ｂの境界部分から枠開口６１側に向けて略矩形に突出している。なお、ロック部７０のロック係止部２４への係止動作については図１１において後述する。
【００２５】
また、フック回転軸部５１は、内側端部近傍にロック解除片５３を備える。ロック解除片５３は、フック回転軸部５１の側面から回転軸に対して垂直方向に所定長延びて形成されている。ここでは、図３（ｂ）に示すように、フック枠５２が形成される面Ｐ１に対して所定角度θ（例えば４５度）斜め方向に延出して形成されている。このような形状のロック解除片５３は、一種のカムとして機能し、フック回転軸部５１の回動に連動し、所定の位置でロック部７０の係止状態（固定状態）を解除する。なお、この角度θは、ロック解除対象であるロック部７０の形状に応じて適宜設定される。また、解除動作については図５〜図１０において後述する。
【００２６】
さらにまた、フック回転軸部５１の内側の端部には、回動固定凸部５６が設けられている。回動固定凸部５６は、枢着部４３のフック部枢着孔４４に設けられた回動固定凹部４９（図２（ａ）参照）に係止し、それらの係止によってフック部５０を所定の位置に維持する。なお、それらの係止状態が比較的小さな力で解除できる形状に、回動固定凸部５６及び回動固定凹部４９が形成されている。
【００２７】
図４はロック部７０を示した図であり、図４（ａ）は平面図、図４（ｂ）は正面図、図４（ｃ）は側面図、図４（ｄ）はＡ１−Ａ１断面図、図４（ｅ）はＡ２−Ａ２断面図を示している。図示のように、ロック部７０は略箱状の形状を呈しており、両側に設けられたロック側面７２と、両ロック側面７２をわたすように形成されたロック平面７３と、ロック前面７４とを一体に形成して備えている。
【００２８】
ロック側面７２は、ロック前面７４の反対側端部近傍の内側に、ロック枢着部７１を備えている。両ロック側面７２の内面間の距離Ｘ３は、基部４１の幅Ｘ１２（図２（ｂ）参照）と略同一に形成されており、ロック枢着部７１が枢着部４３のロック部枢着孔４５に枢着することで、ロック部７０はロック枢着部７１を回転軸として枢動する。
【００２９】
また、図４（ｃ）に示すように、ロック側面７２の外面には、ロックガイド部８１が形成されている。フック部５０が操作されて枢動し、ロック部７０を後述の図１０の解除状態から図５のロック状態に枢動するときに、ロック用片５４がロックガイド部８１に当接しつつ移動するガイドとして機能する。なお、ロックガイド部８１は、ロック用片５４の動きに対応した形状、ここでは、ロック側面７２から垂直に所定長延出した上面視曲面で段差形状を呈している。
【００３０】
また、ロック側面７２は、ロック状態となったときに、フック部５０のフック回転軸部５１との接触を避けるために、フック部５０の外形に合わせた形状の回動軸用凹部８０が形成されている。
【００３１】
さらに、図４（ａ）や図４（ｄ）に示すように、ロック側面７２の内面には、ロック解除の際に、ロック解除片５３が移動し当接できるようにロック解除押圧部７６が形成されている。より具体的には、ロック解除押圧部７６の形状は、図５〜図７の状態では、ロック解除片５３がロック解除押圧部７６に当接せず、図９の状態で当接しロック解除が開始され、図１０の状態でロックが完全に解除されるようになっている。
【００３２】
さらにまた、図４（ａ）や図４（ｅ）に示すように、ロック前面７４の先端部中央の内面には、内側方向つまり基部側に向かって突出する爪状のロック係止片７８が形成されている。さらに、ロック係止片７８の両サイドには、ロック係止片７８から若干離間した位置に、リブ状の係止押さえ片７９が設けられている。そして、ロック部７０がロックされる際に、ロックガイド部８１の先端側に形成されるロック固定押圧部７７がロック用片５４によって押されて、ロック係止片７８が上ケース２０のロック係止部２４に係止する。ロック固定押圧部７７は、ロック作用手段であるロック用片５４の作用を受けるロック被作用手段として機能する。また、係止押さえ片７９が上ケース２０のロック押面２２の上面を押さえる。
【００３３】
以上の構成のケース１０における、ロック機構４０のロックの解除動作及びロック動作について説明する。まず、ロック解除について説明する。図５（ａ）は、固定された状態のケース１０の平面図を示しており、図５（ｂ）は右側面図、図５（ｃ）は図５（ａ）のＢ１−Ｂ１断面図、図５（ｄ）は図５（ａ）のＢ２−Ｂ２断面図を示している。さらに、図６（ａ）は、ロック機構４０について図５（ａ）の領域Ｓ１を拡大して示した図であり、図６（ｂ）は図５（ｂ）の領域Ｓ２を示した図であり、図６（ｃ）は図５（ｃ）の領域Ｓ３を示した図であり、図６（ｄ）は図５（ｄ）の領域Ｓ４を示した図である。
【００３４】
主に図６（ｃ）に示すように、フック部５０が上ケース２０側に位置している場合、ロック部７０のロック係止片７８が上ケース２０のロック係止部２４に係止しており、上ケース２０と下ケース３０とは固定されている。また、図６（ｄ）に示すように、フック部５０のロック解除片５３は、ロック解除押圧部７６に対して反対側にあり、解除動作することはない。
【００３５】
そして、図６の状態からフック部５０を９０度倒した状態を図７に示す。図７（ａ）〜図７（ｄ）がそれぞれ図６（ａ）〜図６（ｄ）に対応している。この状態では、図７（ｄ）に示すように、フック部５０のロック解除片５３は、ロック解除押圧部７６に対して接近しているもののまだロック解除押圧部７６には当接しておらず、ロック部７０のロック係止片７８が上ケース２０のロック係止部２４に係止した状態で、ロック機構４０はまだロック状態を維持したままフック部５０を枢動することができる。
【００３６】
図７の状態からフック部５０を更に４５度倒した状態を図８に示す。図８（ａ）〜図８（ｄ）がそれぞれ図７（ａ）〜図７（ｄ）に対応している。この状態では、図８（ｄ）に示すように、ロック解除片５３は、ロック解除押圧部７６にちょうど当接した状態である。より具体的には、ロック解除片５３の側面がロック解除押圧部７６に当接している。このとき、ロック部７０のロック係止片７８が上ケース２０のロック係止部２４に係止しているが、さらにフック部５０が倒された場合、ロック係止片７８とロック係止部２４の係止状態の解除が開始される。
【００３７】
図８の状態からフック部５０を更に倒した状態を図９に示す。図９（ａ）〜図９（ｄ）がそれぞれ図８（ａ）〜図８（ｄ）に対応している。この状態では、図９（ｄ）に示すように、ロック解除片５３が上方に向けて回転することから、ロック解除片５３がロック解除押圧部７６を押し上げるように作用することで、ロック部７０は、ロック枢着部７１を軸としてケース１０から離間するように枢動する。これによって、ロック部７０のロック係止片７８は、ロック係止部２４を乗り越えてロックを解除する動作を行う。ここでは、ちょうどロック係止部２４の頂部にロック係止片７８の頂部が位置している状態となっている。
【００３８】
図９の状態から更にフック部５０を動かし完全に下ケース３０側まで倒した状態を図１０に示す。図１０（ａ）〜図１０（ｄ）がそれぞれ図９（ａ）〜図９（ｄ）に対応している。この状態では、図１０（ｃ）に示すように、ロック部７０は、ケース１０に対して垂直な状態になっている。そして、ロック係止片７８とロック係止部２４とは完全に離間して、係止状態が解除されている。
【００３９】
次に、図１１に、フック部５０の枢動動作によって、ロック部７０のロック係止片７８が上ケース２０のロック係止部２４へ係止する動作について説明する。なお、図１１は、ロック機構４０の側面図であり、本来ロック用片５４が隠れて見えないことから、ロック用片５４の端部を便宜的に太線で示している。図１１（ａ）は、フック部５０が下ケース３０側に完全に倒れた状態である。そして、図１１（ｂ）に示すように、フック部５０を操作してフック部５０を上ケース２０側に枢動するとロック用片５４がロックガイド部８１に当接してロック部７０を枢動させる。さらに、フック部５０を上ケース２０側に枢動させると、ロック用片５４がロックガイド部８１当接しながら移動する際に、ロックガイド部８１を押すことによって、図１１（ｃ）の状態を経て、図１１（ｄ）に示すようにロック用片５４がロック固定押圧部７７に当接する。このとき、フック部５０は、上ケース２０の近くまで移動している。そして、フック部５０を更に上ケース２０側に完全に倒し込むように枢動させると、図１１（ｅ）の状態になり、図５及び図６で示したように、ロック部７０のロック係止片７８がロック押面２２のロック係止部２４に係止する。
【００４０】
以上のように、ロック機構４０のロック解除動作は、フック部５０に対する比較的小さな力による操作によって行うことができる。さらに、ロック機構４０のロック動作は、ロック部７０のロック位置への移動と、実際のロック係止片７８とロック係止部２４との係止動作をフック部５０のワンアクションによる操作によって簡単に行うことができる。さらに、ロックされた状態にあっては、ロック状態を維持したままフック部５０を広範囲に枢動させることができる。従って、フック部５０をフック等に掛けてケース１０を展示したときに、購入者等がケース１０を取り寄せる動作をした場合であっても、ロック機構４０のみのロックだけでも十分にロックを維持することができる。また、展示状態にあって、購入者等がケース１０を取り寄せる動作をする場合は、ケース１０の下側端部（ロック機構４０とは反対側）を持ち上げる動作がなされる。従って、フック部５０は上ケース２０側に倒れる方向に枢動する。この枢動方向はロックをする方向であるので、その様な操作によって、上ケース２０と下ケース３０とのロックが解除することはない。
【００４１】
以上、本発明を実施形態をもとに説明した。この実施形態は例示であり、それらの各構成要素の組合せにいろいろな変形例が可能なこと、またそうした変形例も本発明の範囲にあることは当業者に理解されるところである。
【符号の説明】
【００４２】
１０  ケース
２０  上ケース
２２  ロック押面
２４  ロック係止部
３０  下ケース
４０  ロック機構
４１  基部
４２  基部上面
４３  枢着部
４４  フック部枢着孔
４５  ロック部枢着孔
４６  基部上面嵌合枠
５０  フック部
５１  フック回転軸部
５２  フック枠
５３  ロック解除片
５４  ロック用片（ロック作用手段）
５５  フック用凹部
５６  回動固定凸部
７０  ロック部
７１  ロック枢着部
７２  ロック側面
７６  ロック解除押圧部
７７  ロック固定押圧部
７８  ロック係止片
８１  ロックガイド部
【図１】
2011032748.tif 000003
【図２】
2011032748.tif 000004
【図３】
2011032748.tif 000005
【図４】
2011032748.tif 000006
【図５】
2011032748.tif 000007
【図６】
2011032748.tif 000008
【図７】
2011032748.tif 000009
【図８】
2011032748.tif 000010
【図９】
2011032748.tif 000011
【図１０】
2011032748.tif 000012
【図１１】
2011032748.tif 000013